(57)【要約】【課題】日射による熱を簡易な構成で有効利用することができる間接型蓄熱壁システムを提供する。【解決手段】間接型蓄熱壁システム１は、非採光室２０と、建物Ｘの外壁の開口部に設けられたガラス窓１１、及び、ガラス窓１１から所定の離間寸法を有してガラス窓１１の窓面に対向するように配置された蓄熱壁１２が設けられ、ガラス窓１１と蓄熱壁１２との間の空間が閉鎖空間Ｚとされた採光室１０と、閉鎖空間Ｚから非採光室２０内に向かって空気を流通させる空気流通装置３０と、を備える。空気流通装置３０により、閉鎖空間Ｚ内における暖気を非採光室２０に供給し、非採光室２０の温熱環境を向上させる。【選択図】図１
2013245915.tif 000002
【特許請求の範囲】
【請求項１】
非採光室と、
建物外壁の開口部に設けられたガラス窓、及び、前記ガラス窓から所定の離間寸法を有して前記ガラス窓の窓面に対向するように配置された蓄熱壁が設けられ、前記ガラス窓と前記蓄熱壁との間の空間が閉鎖空間とされた採光室と、
前記閉鎖空間から前記非採光室内に向かって空気を流通させる空気流通装置と、
を備えることを特徴とする間接型蓄熱壁システム。
【請求項２】
前記非採光室内と前記閉鎖空間とをつなぐ循環用ダクトが更に設けられている、ことを特徴とする請求項１に記載の間接型蓄熱壁システム。
【請求項３】
前記空気流通装置には、空気の流通方向を逆転させるスイッチが設けられている、ことを特徴とする請求項１に記載の間接型蓄熱壁システム。
【発明の詳細な説明】
【技術分野】
【０００１】
本発明は、太陽光による熱を蓄え、建物の室内空間を温める間接型蓄熱壁システムに関するものである。
【背景技術】
【０００２】
建物において、日当たりのよい居室は、冬場であっても日射によりかなりの熱を得ることができ、日中はかなりの高温となる。そこで、蓄熱壁を用いて日射による熱を蓄え、蓄熱壁に蓄えられた熱を夜間の暖房等に利用するシステムが提案されている。
【０００３】
しかしながら、蓄熱壁を利用したシステムでは、日射による熱をすべて蓄えることができず、外気温の低下と共に蓄熱壁から屋外に熱が放出されることがある。一方で、建物内において、例えば、日の当たらない北側に配置された洗面所やトイレ等の水周りの部屋は、日射の恩恵を得にくいことがある。
【０００４】
そこで、特許文献１には、ルーフサッシ内部で暖められた暖気を排気する際に、熱交換機を用いて暖気から熱を回収し、回収した熱を暖房や給湯に利用する技術が記載されている。
【先行技術文献】
【特許文献】
【０００５】
【特許文献１】特開昭６１−２１３４４５号公報
【発明の概要】
【発明が解決しようとする課題】
【０００６】
しかしながら、上記特許文献１に記載されているように、熱交換機を用いて熱を回収する場合、多くの熱を回収しようとすると排気風量を多くする必要があり、ファンの消費電力が大きくなって省エネ効果が減少し（熱の回収効率が低下し）、熱交換機の設置のためのコストも上昇する。
【０００７】
そこで本発明は、このような従来技術の有する課題を解決するものであり、日射による熱を簡易な構成で有効利用することができる間接型蓄熱壁システムを提供することを目的とする。
【課題を解決するための手段】
【０００８】
上記課題を解決すべく、本発明に係る間接型蓄熱壁システムは、非採光室と、建物外壁の開口部に設けられたガラス窓、及び、ガラス窓から所定の離間寸法を有してガラス窓の窓面に対向するように配置された蓄熱壁が設けられ、ガラス窓と蓄熱壁との間の空間が閉鎖空間とされた採光室と、閉鎖空間から非採光室内に向かって空気を流通させる空気流通装置と、を備えることを特徴とする。
【０００９】
この発明では、蓄熱壁に蓄えきれなかった余剰の熱を、空気流通装置によって閉鎖空間から非採光室内に供給することができ、非採光室の温熱環境を向上させることができる。このように、日射による熱を、簡易な構成で有効利用することができる。
【００１０】
また、非採光室内と閉鎖空間とをつなぐ循環用ダクトが更に設けられていることが好ましい。この場合には、循環用ダクトを用いて非採光室と閉鎖空間との間で空気を循環させることができ、非採光室内の温熱環境を効率よく向上させることができる。
【００１１】
また、空気流通装置には、空気の流通方向を逆転させるスイッチが設けられていることが好ましい。このスイッチを操作して空気の流通方向を逆転させることにより、例えば、夏場において、採光されないことにより温度の上昇が抑えられた非採光室内の空気を閉鎖空間に供給することで、閉鎖空間の温度上昇を抑制することができる。
【発明の効果】
【００１２】
本発明によれば、日射による熱を簡易な構成で有効利用することができる。
【図面の簡単な説明】
【００１３】
【図１】間接型蓄熱壁システムが適用された建物の縦断面を示す図である。
【発明を実施するための形態】
【００１４】
以下、図面を参照しつつ、本発明に係る間接型蓄熱壁システムの好適な実施形態について詳細に説明する。
【００１５】
図１に示すように、間接型蓄熱壁システム１が適用された建物Ｘは、２階建ての建物であり、採光室１０と、非採光室２０と、空気流通装置３０と、循環用ダクト４０とを含んで構成されている。なお、本実施形態では、一例として２階建ての建物Ｘに間接型蓄熱壁システム１を適用した例を示すが、２階建て以外の建物に適用することもできる。
【００１６】
採光室１０は、建物Ｘの２階部分に設けられている。採光室１０は、例えば、リビング等の居室として使用される。採光室１０には、ガラス窓１１と、蓄熱壁１２と、遮蔽壁１３とが設けられている。ガラス窓１１は、閉鎖空間Ｚの外壁の開口部に設けられている。ガラス窓１１により、太陽光が採光室１０内に導かれる。
【００１７】
蓄熱壁１２は、ガラス窓１１から所定の離間寸法を有してガラス窓１１の窓面に対向するように配置される。蓄熱壁１２として、ＡＬＣ（Autoclaved  Light-weight  Concrete；軽量気泡コンクリート）から成る複数枚のパネルを用いることができる。なお、蓄熱壁１２の室外側（ガラス窓１１側）の面には、ＡＬＣの素地に黒色の塗装が施されている。これにより、蓄熱壁１２の室外側の面に入射した太陽光の集光効率を高めることができる。
【００１８】
採光室１０は、蓄熱壁１２及び遮蔽壁１３によって、蓄熱壁１２よりも室外側の閉鎖空間Ｚと、蓄熱壁１２よりも室内側の居室側空間Ｙとに区画されている。閉鎖空間Ｚは、ガラス窓１１と、蓄熱壁１２及び遮蔽壁１３との間に形成され、他の空間に対して閉鎖（区画）されている。
【００１９】
ガラス窓１１を介して蓄熱壁１２の集熱面に到達した太陽光により、蓄熱壁１２が暖められる。蓄熱壁１２は、蓄熱機能を有しており、蓄熱が可能となっている。この蓄熱壁１２に蓄えられた熱により、居室側空間Ｙが暖められる。
【００２０】
非採光室２０は、建物Ｘの１階部分に設けられている。非採光室２０は、例えば、洗面所やトイレ等の水周りのための部屋として使用される。また、非採光室２０は、建物Ｘの２階の外壁の位置から建物Ｘの内側へ奥まった位置に設けられており、日射の恩恵を得にくい部屋となっている。
【００２１】
なお、上述した、採光室１０や非採光室２０の位置関係及び用途は、一例であり、これに限定されるものではない。
【００２２】
空気流通装置３０は、熱搬送用ダクト３１と、ファン３２と、熱搬送用ダクト３３と、スイッチ３４とを含んで構成される。熱搬送用ダクト３１及び３３は、内部において空気が流通可能な構造となっている。
【００２３】
熱搬送用ダクト３１の一端は、閉鎖空間Ｚに開口し、他端はファン３２に接続されている。熱搬送用ダクト３３の一端は非採光室２０内に開口し、他端はファン３２に接続されている。
【００２４】
ファン３２は、熱搬送用ダクト３１及び３３を介して、閉鎖空間Ｚと非採光室２０内との間で空気を流通させる。ファン３２には、スイッチ３４が接続されている。スイッチ３４による切り替え操作により、ファン３２は、閉鎖空間Ｚから非採光室２０内への空気の流通と、非採光室２０内から閉鎖空間Ｚへの空気の流通とを切り替える。
【００２５】
循環用ダクト４０は、非採光室２０内と閉鎖空間Ｚとを、空気を流通可能につないでいる。
【００２６】
次に、空気流通装置３０の動作及び空気の流れについて説明する。例えば、冬場の日中において、ファン３２を作動させて閉鎖空間Ｚから非採光室２０内の空気を供給する。この場合、蓄熱壁１２に太陽光が入射したときに蓄熱壁１２によって蓄えきれなかった余剰の熱を、空気流通装置３０によって非採光室２０内に供給することができる。これにより、非採光室２０内の温度を上昇させることができる。
【００２７】
また、循環用ダクト４０によって非採光室２０内と閉鎖空間Ｚとが接続されているので、ファン３２を作動させたときに非採光室２０内と閉鎖空間Ｚとの間で空気を循環させることができる。
【００２８】
また、例えば、夏場等、採光室１０の温度上昇を抑制したい場合には、スイッチ３４を操作することにより、ファン３２によって非採光室２０内の空気を閉鎖空間Ｚに供給する。この場合、日射の恩恵を受けにくく温度の上昇が抑えられた非採光室２０内の空気を、閉鎖空間Ｚに供給することができる。これにより、採光室１０内の温度上昇が抑制される。
【００２９】
本実施形態は以上のように構成され、蓄熱壁１２に蓄えきれなかった余剰の熱を、空気流通装置３０によって閉鎖空間Ｚから非採光室２０内に供給することができ、非採光室２０の温熱環境を向上させることができる。このように、日射による熱を、簡易な構成で有効利用することができる。
【００３０】
また、非採光室２０内と閉鎖空間Ｚとをつなぐ循環用ダクト４０を設けることで、非採光室２０と閉鎖空間Ｚとの間で空気を循環させることができ、非採光室２０内の温熱環境を効率よく向上させることができる。
【００３１】
また、空気の流通方向を逆転させるスイッチ３４を設けることで、空気流通装置３０によって非採光室２０内から閉鎖空間Ｚに空気を供給することができる。この場合、例えば、夏場において、採光されないことにより温度の上昇が抑えられた非採光室２０内の空気を閉鎖空間Ｚに供給することができ、閉鎖空間Ｚの温度上昇、更には採光室１０内の温度上昇を抑制することができる。
【００３２】
以上、本発明の一実施形態について説明したが、本発明は、上記実施形態に限定されるものではない。例えば、蓄熱壁１２としてＡＬＣを用いるものとしたが、これ以外の材料を用いてもよい。
【００３３】
また、採光室１０や非採光室２０内に温度センサを設け、温度センサによって検出された室内の温度に応じて、ファン３２による空気の流通方向を自動的に切り替える構成であってもよい。
【００３４】
また、ファン３２及びスイッチ３４の設置位置、熱搬送用ダクト３１及び３３の形状、循環用ダクト４０の形状は、図１に示したものに限定されない。
【符号の説明】
【００３５】
１…間接型蓄熱壁システム、１０…採光室、１１…ガラス窓、１２…蓄熱壁、２０…非採光室、３０…空気流通装置、３４…スイッチ、４０…循環用ダクト、Ｘ…建物、Ｚ…閉鎖空間。
【図１】
2013245915.tif 000003